(57)【要約】【課題】故障したベースバンド信号カードに依存せず、継続運用可能である無線基地局を提供することを課題とする。【解決手段】数の信号処理部を備える無線基地局装置であって、前記信号処理部は、受信ベースバンド信号中の物理チャネルに対する処理を行う、複数の物理チャネルリソースを有する物理チャネル信号処理部と、前記複数の物理チャネルリソースの１つと対応付けられ、その物理チャネルリソースからの入力信号に対する信号復号処理をそれぞれに行う、複数の信号復号処理リソースを有する信号復号処理部と、を備え、前記複数の信号復号処理リソース毎に、前記入力信号のビットエラーレートを測定する、無線基地局装置とした。【選択図】図１
2008085568.tif 000002
【特許請求の範囲】
【請求項１】
複数の信号処理部を備える無線基地局装置であって、
前記信号処理部は、
受信ベースバンド信号中の物理チャネルに対する処理を行う、複数の物理チャネルリソースを有する物理チャネル信号処理部と、
前記複数の物理チャネルリソースの１つと対応付けられ、その物理チャネルリソースからの入力信号に対する信号復号処理をそれぞれに行う、複数の信号復号処理リソースを有する信号復号処理部と、を備え、
前記複数の信号復号処理リソース毎に、前記入力信号のビットエラーレートを測定する、
無線基地局装置。
【請求項２】
前記信号処理部は、
前記物理チャネルリソースの１つと前記信号復号処理リソースの１つとを対応付けを記録する第１の記録部と、
前記物理チャネルリソース毎に前記ビットエラーレート測定結果を記録する第２の記録部と、
前記第１の記録部を参照し、前記ビットエラー測定結果を前記物理チャネルリソース毎に前記第２の記録部に積算して記録するビットエラー測定機能部と、
を備える、
請求項１に記載の無線基地局装置。
【請求項３】
受信ベースバンド信号中の物理チャネル信号に係る処理をそれぞれ行う複数の物理チャネル信号処理部と、各物理チャネル信号処理部との組をなし、対応する物理チャネル信号処理部の処理結果としての信号を格納する複数の格納部と、前記物理チャネル信号処理部及び格納部の組の１つと関連付けられ、関連付けられた格納部に格納された信号に対する復号処理をそれぞれ行う複数の信号復号処理部とを有する複数の信号処理部と、
前記各信号復号処理部で処理される信号のビットエラーレートをそれぞれ測定する測定部と、
前記ビットエラーレートの測定結果に基づいて、各信号復号処理部と関連する格納部及び物理チャネル信号処理部の組が正常か異常かを判定する判定部とを備え、
前記判定部において、異常と判定された組が１以上ある場合に、自装置が異常であると判定する
ベースバンド信号処理装置。
【請求項４】
呼設定要求時に、前記組の１つが呼設定要求に応じた受信回線に割り当てられるとともに、前記信号復号処理部の１つが当該組の１つと関連付けられ、この関連付けられた信号復号処理部に対するビットエラーレートの測定を開始し、その後にリセット要求を受信するまでの間、ビットエラーレートの測定を継続する
請求項３に記載のベースバンド信号処理装置。
【請求項５】
受信ベースバンド信号中の物理チャネル信号に係る処理をそれぞれ行う複数の物理チャネル信号処理部と、各物理チャネル信号処理部と組をなし、対応する物理チャネル信号処理部の処理結果としての信号を格納する複数の格納部と、前記物理チャネル信号処理部及び格納部との１つと関連付けられ、関連付けられた格納部に格納された信号に対する信号処理をそれぞれ行う複数の信号復号処理部とを有する複数の信号処理部と、前記各信号復号処理部で処理される信号のビットエラーレートをそれぞれ測定する測定部と、前記ビットエラーレートの測定結果に基づいて、各信号復号処理部と関連する格納部及び物理チャネル信号処理部の組が正常か異常かを判定する判定部とを備え、前記判定部において異常
と判定された組が１以上ある場合に、自装置が異常である旨の故障判定結果を出力する複数のベースバンド信号処理部と、
前記複数のベースバンド信号処理部の１つを用いて、呼設定要求に応じた受信回線を設定する呼処理制御部と、
所定タイミングで前記各ベースバンド信号処理部に対して呼判定結果要求を与え、前記各ベースバンド信号処理部から前記故障判定結果要求に対する前記故障判定結果を受け取り、複数のベースバンド信号処理部の１つのみが異常である旨の故障判定結果を得た場合に、その異常の故障判定結果を出力したベースバンド信号処理部を異常アラーム出力状態に遷移させるとともに、異常アラーム出力状態に遷移させたベースバンド信号処理部の識別情報を前記呼処理制御部に通知する装置監視部とを備え、
前記呼処理制御部は、前記装置監視部から前記通知を受け取った後に、新たな呼設定要求が生じた場合には、通知を受けたベースバンド信号処理部を除く複数のベースバンド信号処理部の１つを用いて受信回線を設定する
基地局装置。
【発明の詳細な説明】
【技術分野】
【０００１】
ベースバンド信号処理カードにおけるハードウェア故障を自律的に検出する無線基地局装置に関する。
【背景技術】
【０００２】
移動通信分野の無線基地局装置において、外部から入力された信号は、ベースバンド信号処理カードの物理チャネル信号処理部のメモリを経由して、信号復号処理部に入力される。
【０００３】
無線基地局装置運用中にベースバンド信号処理カードの物理チャネル信号処理部のメモリ故障等が発生した場合、信号復号処理部への入力が異常となる。そのため、ユーザの接続／通信障害を引き起こし、本現象が継続する。
【特許文献１】特開２００１−２９８７６７号公報
【特許文献２】特開２００３−１９８４５３号公報
【特許文献３】特開２００２−２４６９７８号公報
【発明の開示】
【発明が解決しようとする課題】
【０００４】
従来は、無線基地局装置の立ち上げ時のみメモリチェック等を行っていた。そのため、無線基地局運用中に故障が発生しても、検出することが困難であった。
【０００５】
そこで、本発明は、故障したベースバンド信号カードに依存せず、継続運用可能である無線基地局を提供することを課題とする。
【課題を解決するための手段】
【０００６】
本発明は、上記した課題を解決するために以下の手段を採用する。
【０００７】
即ち、本発明は、
複数の信号処理部を備える無線基地局装置であって、
前記信号処理部は、
受信ベースバンド信号中の物理チャネルに対する処理を行う、複数の物理チャネルリソースを有する物理チャネル信号処理部と、
前記複数の物理チャネルリソースの１つと対応付けられ、その物理チャネルリソースからの入力信号に対する信号復号処理をそれぞれに行う、複数の信号復号処理リソースを有する信号復号処理部と、を備え、
前記複数の信号復号処理リソース毎に、前記入力信号のビットエラーレートを測定する、
無線基地局装置である。
【０００８】
本発明によると、信号復号処理部にて、常時、入力信号のＢＥＲ（Bit Error Rate）測定を信号復号処理リソース毎に行うことができる。
【０００９】
また、好ましくは、本発明において、
前記信号処理部は、
前記物理チャネルリソースの１つと前記信号復号処理リソースの１つとを対応付けを記録する第１の記録部と、
前記物理チャネルリソース毎に前記ビットエラーレート測定結果を記録する第２の記
録部と、
前記第１の記録部を参照し、前記ビットエラー測定結果を前記物理チャネルリソース毎に前記第２の記録部に積算して記録するビットエラー測定機能部と、
を備える、
無線基地局装置とする。
【００１０】
本発明によると、信号復号リソース毎に測定したＢＥＲ測定結果を、物理チャネルリソース毎に積算収集することができる。
【００１１】
また、本発明は、
受信ベースバンド信号中の物理チャネル信号に係る処理をそれぞれ行う複数の物理チャネル信号処理部と、各物理チャネル信号処理部との組をなし、対応する物理チャネル信号処理部の処理結果としての信号を格納する複数の格納部と、前記物理チャネル信号処理部及び格納部の組の１つと関連付けられ、関連付けられた格納部に格納された信号に対する復号処理をそれぞれ行う複数の信号復号処理部とを有する複数の信号処理部と、
前記各信号復号処理部で処理される信号のビットエラーレートをそれぞれ測定する測定部と、
前記ビットエラーレートの測定結果に基づいて、各信号復号処理部と関連する格納部及び物理チャネル信号処理部の組が正常か異常かを判定する判定部とを備え、
前記判定部において、異常と判定された組が１以上ある場合に、自装置が異常であると判定する
ベースバンド信号処理装置である。
【００１２】
本発明によると、ベースバンド信号処理装置の故障を早期に検出することができる。
【００１３】
ここで、本発明における「格納部」には、メモリが含まれる。本発明における「組」には、リソースが含まれる。本発明における「測定部」には、ＢＥＲ測定機能部が含まれる。本発明における「判定部」には、故障判定機能部が含まれる。
【００１４】
また、本発明における「ベースバンド信号処理部」、「呼処理制御部」及び「装置監視部」には、それぞれ「ベースバンド信号処理カード」、「呼処理制御カード」及び「装置監視カード」が含まれる。
【発明の効果】
【００１５】
本発明によれば、故障したベースバンド信号カードに依存せず、継続運用可能である無線基地局を提供することが可能となる。
【発明を実施するための最良の形態】
【００１６】
以下、図面を参照して本発明の実施形態について説明する。実施形態の構成は例示であり、本発明は実施形態の構成に限定されない。
【００１７】
〔実施形態〕
〈装置〉
《無線基地局装置》
図１は、無線基地局装置の構成例を示す図である。無線基地局装置１００は、複数のベースバンド信号処理カード１０１、呼処理制御カード１０２及び装置監視カード１０３を備える。呼処理制御カード１０２は、呼処理割り当て管理テーブル１３２を有する。
【００１８】
（ベースバンド信号処理カード）
図２は、無線基地局装置のベースバンド信号処理カードの構成例を示す図である。ベー
スバンド信号処理カード１０１は、ハードウェア２４０とファームウェア２５０とを備える。
【００１９】
ベースバンド信号処理カード１０１のハードウェア２４０は、物理チャネル信号処理部２２２、メモリ２２４、信号復号処理部２２６を備える。
【００２０】
ベースバンド信号処理カード１０１のファームウェア２５０は、ＢＥＲ測定機能部２０２、故障判定機能部２０４、ハードウェア呼処理制御機能部２０６、ハードウェアリソース管理機能部２０８、カード間信号送受信機能部２１０を備える。
【００２１】
ＢＥＲ測定機能部２０２は、ＢＥＲ測定結果を管理するＢＥＲ測定結果管理テーブル２３２を有する。ハードウェアリソース管理機能部２０８は、リソース割当を管理するリソース管理テーブル２３８を有する。
【００２２】
図３は、無線基地局装置のベースバンド信号処理カードのハードウェア構成例を示す図である。
【００２３】
ベースバンド信号処理カード１０１のハードウェア２４０は、物理チャネル信号処理部２２２、メモリ２２４、信号復号処理部２２６を備え、それぞれ複数のリソースを有する。
【００２４】
ベースバンド信号処理カード１０１にユーザ信号が入力されると、物理チャネル信号処理部２２２でユーザ信号はデータフレーム化され、メモリ２２４に格納される。メモリ２２４に格納された信号は、信号復号処理部２２６でデジタル処理化（復号化）されて、出力される。
【００２５】
（呼処理割り当て管理テーブル）
図４は、呼処理割り当て管理テーブルの例を示す図である。呼処理割り当て管理テーブル１３２は、各ベースバンド信号処理カード１０１の使用の可否（状態）を記録する。呼処理制御カード１０２は、ユーザ回線設定時に、呼処理割り当て管理テーブル１３２を参照し、割り当てベースバンド信号処理カードを決定する。
【００２６】
（リソース管理テーブル）
図５は、リソース管理テーブルの例を示す図である。リソース管理テーブル２３８は、ベースバンド信号処理カード１０１のファームウェア２５０のハードウェアリソース管理機能部２０８で管理される。リソース管理テーブル２３８は、各物理チャネル信号処理リソース及び各信号復号処理リソースの使用状態を管理する。リソース管理テーブル２３８には、各リソースの、空き状態や、使用ユーザが格納される。また、リソース管理テーブル２３８を参照することで、使用中の物理チャネル信号処理リソースと信号復号処理リソースの対応関係が分かる。図５の例では、物理チャネル信号処理リソース＃０２と信号復号処理リソース＃０１とが対応していることが分かる。
【００２７】
（ＢＥＲ測定結果管理テーブル）
図６は、ＢＥＲ測定結果管理テーブルの例を示す図である。ＢＥＲ測定結果管理テーブルは、信号復号処理部におけるＢＥＲ測定の結果（信号受信数、信号受信ＮＧ数）を物理チャネル信号処理リソース毎に管理する。
【００２８】
〈動作例〉
《ＢＥＲ測定》
図７は、ＢＥＲ（Bit Error Rate、ビット誤り率）測定のシーケンスの例を示す図であ
る。
【００２９】
ユーザ（ユーザ＃０１）のユーザ回線の設定が必要になると、呼処理制御カード１０２は、呼処理割り当て管理テーブル１３２を参照し、使用可能なベースバンド信号処理カード１０１を抽出する。呼処理制御カード１０２は、その抽出したベースバンド信号処理カード１０１に対して、回線割り当て要求を行う（Ｓ０１）。
【００３０】
ベースバンド信号処理カード１０１のファームウェア２５０（図２）は、以下の処理を行う（Ｓ０２）。カード間信号送受信機能部２１０で、回線割り当て要求を受信する。カード間信号送受信機能部２１０は、ハードウェア呼処理制御機能部２０６に対し、ユーザ＃０１に対する呼処理割り当てを指示する。
【００３１】
ハードウェア呼処理制御機能部２０６は、ハードウェアリソース管理機能部２０８に対し、使用可能なリソースを問い合わせる。ハードウェアリソース管理機能部２０８は、ハードウェア呼処理制御部２０６からの問い合わせに対し、リソース管理テーブル２３８（図５）を参照し、空きリソースの中から使用可能なリソースを決定し、ハードウェア呼処理制御機能部２０６に通知する。また、ハードウェアリソース管理機能部２０８は、割り当てたリソースの情報をリソース管理テーブル２３８に登録する。図７の例では、物理チャネル信号処理リソース＃０２と、信号復号処理リソース＃０１とを、ユーザ＃０１に割り当てている。
【００３２】
図７に戻って、ハードウェア呼処理制御機能部２０６は、ユーザ回線が設定されると、その設定された回線のリソースのＢＥＲ測定を開始することをＢＥＲ測定機能部２０２へ指示する。
【００３３】
ＢＥＲ測定機能部２０２は、回線設定された信号復号処理リソース（信号復号処理部２２６）に対し、ＢＥＲ測定を行うことを指示する。当該信号復号処理リソース（信号復号処理部２２６）は、ＢＥＲ測定を開始し、信号受信数及び信号受信ＮＧ数を積算する（Ｓ０４）。
【００３４】
Ｓ０４では、詳細には次の処理が行われる。装置監視カード１０３（図１）がカード間信号送受信機能部２１０を通じて故障判定部２０４（図２）に故障判定要求を送信すると、故障判定部２０４は、ＢＥＲ測定機能部２０２に対し、ＢＥＲ測定結果を要求する。
【００３５】
ＢＥＲ測定機能部２０２が、信号復号処理リソース（信号復号処理部２２６）に対して、ＢＥＲ測定結果の通知を要求すると、信号復号処理リソースは、積算しているＢＥＲ測定結果（信号受信数及び信号受信ＮＧ数）を、ＢＥＲ測定機能部２０２へ通知する（図７、Ｓ０５）。なお、信号復号処理リソースから定期的（一定時間毎や一定信号受信数毎など）にＢＥＲ測定機能部２０２へ通知するようにしてもよい。
【００３６】
次に、Ｓ０６として、以下の処理が行われる。ＢＥＲ測定機能部２０２は、ハードウェアリソース管理機能部２０８のリソース管理テーブル２３８（図５）から、当該信号復号処理リソースに対応する物理チャネル信号処理リソースを検索する。ＢＥＲ測定機能部２０２は、信号復号処理リソースから通知された信号受信数、信号受信ＮＧ数を、ＢＥＲ測定管理テーブル２３２（図６）の対応する物理チャネル信号処理リソースの欄に加算する（図７、Ｓ０６）。
【００３７】
ベースバンド信号処理カード１０１のユーザ信号は、物理チャネル信号処理部２２２で処理され、メモリ２２４を経由して、信号復号処理部２２６から出力される。物理チャネル信号処理部２２２と対になるメモリ２２４に故障が発生した場合、入力先の信号復号処
理部２２６にてユーザ信号入力が異常となりビットエラーが発生する。本メモリ２２４の故障検出には、信号復号処理部２２６へのユーザ信号入力がされる必要がある。よって、信号復号処理リソースでＢＥＲ測定を実施することで、対応する物理チャネル信号処理リソースの故障を判定することができる。
【００３８】
《故障判定》
図８及び図９は、ベースバンド信号処理カードの故障判定のシーケンスの例を示す図である。
【００３９】
装置監視カード１０３は、装置の立ち上がりと同時に周期タイマを起動する（Ｓ１１）。周期タイマの周期は、例えばαとする。周期タイマは、時刻０から時刻αになると、再び時刻０にリセットされる時計である。装置自身が有する時計で代用することもできる。
【００４０】
呼処理制御カード１０２から、ベースバンド信号処理カード１０１へ呼処理要求がされる毎に、回線が設定される（Ｓ１２）。ベースバンド信号処理カード１０１は、設定された回線に対するＢＥＲ測定を開始し、ＢＥＲ測定結果を積算する（Ｓ１３）。
【００４１】
周期タイマが一定時間を経過する（Ｓ１４；Ｙｅｓ）と、装置監視カード１０３は、それぞれのベースバンド信号処理カード１０１に対して、故障判定要求を行う（Ｓ１５）。故障判定要求を行うと、報告待ちタイマを起動する（Ｓ１６）。各ベースバンド信号処理カード１０１は、故障判定要求を受信すると、ＢＥＲ測定積算結果から故障判定を行う（Ｓ１７）。各ベースバンド信号処理カード１０１は、故障判定結果を装置監視カード１０３へ通知する（Ｓ１８）。装置監視カード１０３は、通知された故障判定結果を保存する（Ｓ１９）。
【００４２】
装置監視カード１０３は、すべてのベースバンド信号処理カード１０１から故障判定結果を受信したとき、又は、報告待ちタイマが一定時間経過したとき（Ｓ２０；Ｙｅｓ）、故障カードＡＬＭ化（Alarm化、アラーム化）判定を行う（Ｓ２１）。ここで、ベースバ
ンド信号処理カード＃０１に対して、ＡＬＭ化が決定されたとする。すると、装置監視カード１０３は、ベースバンド信号処理カード＃０１に対して、ＡＬＭ化を要求する（Ｓ２２）。
【００４３】
ＡＬＭ化を要求されたベースバンド信号処理カード＃０１は、ＡＬＭ化を実施する（Ｓ２３）。これにより、アラームを出し続けている状態とする。
【００４４】
装置監視カード１０３は、呼処理制御カード１０２に対し、ベースバンド信号処理カード＃０１をＡＬＭ化したことを通知する（Ｓ２４）。
【００４５】
また、装置監視カード１０３は、他のベースバンド信号処理カード１０１に対し、ＢＥＲ測定積算値のリセットを要求する（Ｓ２５）。ＢＥＲ測定積算値のリセットを要求されたベースバンド信号処理カード１０１は、ＢＥＲ測定積算値をリセットする（Ｓ２６）。
【００４６】
《動作フロー》
図１０及び図１１は、故障判定の動作フローを示す図である。図１０は、装置監視カード側の故障判定の動作フローを示す。図１１は、ベースバンド信号処理カード側の故障判定の動作フローを示す。
【００４７】
（リソース毎の故障判定）
図１０において、装置監視カード１０３は、周期タイマが所定時間（故障判定監視周期α）に達すると、ベースバンド信号処理カード１０１に故障判定要求を送信する（Ｓ３１
）。装置監視カード１０３は、故障判定要求をすると、報告待ちタイマを起動する（Ｓ３２）。装置監視カード１０３は、報告待ちタイマが所定時間に達するか、すべてのベースバンド信号処理カード１０１から故障判定結果を受信した（Ｓ３３）後に、故障カードＡＬＭ化判定を行う（Ｓ３４）。
【００４８】
一方、図１１において、ベースバンド信号処理カード１０１は、装置監視カード１０３から、故障判定要求を受信する（Ｓ４１）と、物理チャネル信号処理リソース毎に故障判定を実施する（Ｓ４２）。
【００４９】
ベースバンド信号処理カード１０１のＢＥＲ測定機能部２０２は、ＢＥＲ測定を実施している信号復号処理リソースに対し、ＢＥＲ測定結果を要求する。ＢＥＲ測定を実施している信号復号リソースは、ＢＥＲ測定機能部２０２に対し、ＢＥＲ測定結果（信号受信数、信号受信ＮＧ数）を送信する。ＢＥＲ測定機能部２０２は、受信したＢＥＲ測定結果をＢＥＲ測定結果管理テーブル２３２に保存する。
【００５０】
ベースバンド信号処理カード１０１の故障判定機能部２０４は、収集した物理チャネル信号処理リソース毎のＢＥＲ測定結果より、故障を判定する。最初に、ＢＥＲ測定結果の信号受信数が完了率判定閾値β以上か否かを判断する（Ｓ４２１）。
【００５１】
信号受信数が完了率判定閾値β未満の場合は、ＢＥＲ測定のサンプル数が少ないため、正確な判断ができないと考えられる。そのため、この場合は、その物理チャネル信号処理リソースは「リソース積算中」であると判断する（Ｓ４２２）。
【００５２】
信号受信数が完了率判定閾値β以上の場合は、ＢＥＲ測定のサンプル数が十分なため、故障判定の対象となる。このとき、信号受信ＮＧ数が信号受信数以上の場合は、その物理チャネル信号処理リソースを「異常リソース」と判断する。信号受信ＮＧ数が信号受信数未満の場合は、その物理チャネル信号処理リソースを「正常リソース」と判断する（Ｓ４２３）。
【００５３】
上記したリソース毎の故障判定をまとめると、次のようになる。
【００５４】
信号受信数  ＜  完了率判定閾値β    ：  リソース積算中
信号受信数  ≦  信号受信ＮＧ数      ：  異常リソース
信号受信数  ＞  信号受信ＮＧ数      ：  正常リソース
図１２は、リソース毎の故障判定をまとめたテーブルを示す図である。この判定を、物理チャネル信号処理リソース毎に実施し、集計する。
【００５５】
ここで、信号受信数とは、そのリソースが受信した信号のすべての数である。また、信号受信ＮＧ数とは、受信した信号のうち、正確に受信できなかったものの数である。よって、信号受信ＮＧ数が信号受信数以上になることは通常起こりえないことである。従って、信号受信ＮＧ数が信号受信数以上になったときは、物理チャネル信号処理リソースに異常が発生したとみなす。
【００５６】
故障判定監視周期αと完了率判定閾値βとは、ユーザ信号の秒間トラフィック（データ量）から、適切に定義する。
【００５７】
（カード故障判定）
図１１に戻って、ベースバンド信号処理カード１０１は、物理チャネル信号処理リソース毎の判定結果を集計し、ベースバンド信号処理カードのカード故障判定を実施する（Ｓ４３）。
【００５８】
異常リソースが１以上存在する場合（Ｓ４３１；Ｙｅｓ）は、そのベースバンド信号処理カード１０１は「カード異常」であると判断する（Ｓ４３２）。異常リソースがなく、正常リソースが１以上存在する場合（Ｓ４３３；Ｙｅｓ）は、そのカードは「カード正常」であると判断する（Ｓ４３４）。また、異常リソース及び正常リソース共に存在しない場合（Ｓ４３３；Ｎｏ）は、そのカードは「カード積算中」であると判断する（Ｓ４３５）。
【００５９】
上記したカード故障判定をまとめると、次のようになる。
【００６０】
異常リソース数  ≧  １                                    ：  カード異常
異常リソース数  ＝  ０    かつ    正常リソース数  ≧  １  ：  カード正常
異常リソース数  ＝  ０    かつ    正常リソース数  ＝  ０  ：  カード積算中
図１３は、カード故障判定をまとめたテーブルを示す図である。図１１に戻って、各ベースバンド信号処理カード１０１は、このカード故障判定を実施し、「カード異常」か「カード正常」か「カード積算中」かの故障判定結果を、装置監視カード１０３に送信する（Ｓ４４）。
【００６１】
（故障カードＡＬＭ化判定）
図１０において、装置監視カード１０３は、各ベースバンド信号処理カード１０１からの故障判定結果を受信すると、それを保存する。
【００６２】
装置監視カード１０３は、報告待ちタイマが所定時間に達するか、すべてのベースバンド信号処理カード１０１から故障判定結果を受信した（Ｓ３３）後に、故障カードＡＬＭ化判定を実施する（Ｓ３４）。
【００６３】
装置監視カード１０３は、故障判定結果において「カード積算中」以外のベースバンド信号処理カード１０１の数が３以上か否かを判断する（Ｓ３４１）。
【００６４】
「カード積算中」のベースバンド信号処理カード１０１の数が３未満の場合（Ｓ３４１；Ｎｏ）は、装置監視カード１０３は、周期タイマが所定の時間を経過するのを待った後、故障監視を繰り返す。
【００６５】
「カード積算中」のベースバンド信号処理カード１０１の数が３以上の場合（Ｓ３４１；Ｙｅｓ）は、装置監視カード１０３は、「カード正常」のベースバンド信号処理カードが２以上かつ「カード異常」のベースバンド信号処理カードが１であるか否かを判断する（Ｓ３４２）。
【００６６】
「カード正常」が２以上かつ「カード異常」が１である場合（Ｓ３４２；Ｙｅｓ）は、その「カード異常」のベースバンド信号処理カード１０１は、故障していると判断される。よって、そのベースバンド信号処理カード１０１は、ＡＬＭ化対象となる（Ｓ３４３）。
【００６７】
装置監視カード１０３は、ＡＬＭ化対象となったベースバンド信号処理カード１０１に対し、ＡＬＭ化を指示する。これにより、該当ベースバンド信号処理カード１０１のＡＬＭ化が実施される。
【００６８】
「カード正常」が２未満又は「カード異常」が１でない場合（Ｓ３４２；Ｎｏ）は、ＡＬＭ化の実施を行わない。「カード異常」がない場合は、ＡＬＭ化の対象となるカードが無いからである。「カード異常」が２以上の場合は、無線区間の不良であるとみなして、
ＡＬＭ化の実施をしない。同時に複数のベースバンド信号処理カード１０１が故障することは、可能性は非常に低いからである。また、「カード正常」が複数存在する時をＡＬＭ化対象とすることで、無線状況による受信品質劣化による誤判断を回避することができる。
【００６９】
図１４は、故障カードＡＬＭ化判定のテーブルを示す図である。
【００７０】
（ＢＥＲ測定結果リセット）
その後、装置監視カード１０３は、ベースバンド信号処理カード１０１に対し、ＢＥＲ測定結果の積算リセットを実施する（Ｓ３５）。新たにＢＥＲ測定を実施するためである。装置監視カード１０３は、ベースバンド信号処理カード１０１に、リセット要求を送信する（Ｓ３５１）。
【００７１】
図１１において、ベースバンド信号処理カード１０１は、装置監視カード１０３からリセット要求を受信する（Ｓ４５）と、リソース毎にリセットをするか否かを判定する（Ｓ４６）。
【００７２】
ベースバンド信号処理カード１０１は、リソース毎に信号受信数が完了率判定閾値β以上か否かを判定する（Ｓ４６１）。信号受信数が完了率判定閾値β以上の場合（Ｓ４６１；Ｙｅｓ）は、ＢＥＲ測定機能部２０２で管理されるＢＥＲ測定結果管理テーブル２３２の信号受信数及び信号受信ＮＧ数を０にリセットする（Ｓ４６２）。信号受信数が完了率判定閾値β未満の場合は、何もしない。
【００７３】
監視カード１０３は、ベースバンド信号処理カード１０１に対し、リセット要求を送信すると、一定時間（所定時間）の経過待ちを行う（Ｓ３６）。周期タイマが所定時間（一定時間）を経過すると、再び故障監視を開始する。このとき、ＡＬＭ化したベースバンド信号処理カード１０１に対しては、故障監視を行わない。
【００７４】
（呼処理割り当て回避）
図１５は、呼処理割り当て回避のシーケンスを示す図である。
【００７５】
装置監視カード１０３が、呼処理制御カード１０２に対し、ＡＬＭ化したベースバンド信号処理カード１０１を、ベースバンド信号処理カード番号などで、通知する（Ｓ５１）。呼処理制御カード１０２は、該当ベースバンド信号処理カードの呼処理割り当て管理テーブル１３２の状態を「使用不可」状態とする（Ｓ５２）。
【００７６】
呼処理割り当て管理テーブル１３２は、ユーザ回線設定時に割り当てベースバンド信号処理カードを決定するために参照されるため、「使用不可」状態であれば、該当ベースバンド信号処理カードに呼設定されることが回避される。
【００７７】
〈実施形態の作用効果〉
本実施形態によると、故障カードを検出し、該当ベースバンド信号処理カードをＡＬＭ化し、かつ、呼処理制御カードへ通知することで、故障カードに対する呼処理リソース割り当てを回避することが可能となり、故障カードに依存せず、継続運用を可能とさせている。また、装置監視カードで「カード異常」１枚時をＡＬＭ化対象とすることにより、複数枚ＡＬＭ化による呼処理リソース不足等を回避し、無線基地局装置として継続運用を可能としている。
【００７８】
また、本実施形態によると、運用中にユーザ信号に対し、常時ＢＥＲ測定を実施することにより、運用中のベースバンド信号処理カード故障の早期検出を可能としている。
【００７９】
さらに、本実施形態では、故障判定にＢＥＲ測定結果を元に実施しているが、無線状況によりＢＥＲは劣化する為、故障の判断が非常に困難である。本実施形態によれば、ベースバンド信号処理カード、及び、装置監視カード双方にて故障判定を実施させ、各々の論理を用いることにより、判定の信頼性を向上させることができる。
【００８０】
〔その他〕
上記した実施形態は、以下の発明を開示する。以下の発明は、必要に応じて適宜組み合わせることができる。
【００８１】
（付記１）
複数の信号処理部を備える無線基地局装置であって、
前記信号処理部は、
受信ベースバンド信号中の物理チャネルに対する処理を行う、複数の物理チャネルリソースを有する物理チャネル信号処理部と、
前記複数の物理チャネルリソースの１つと対応付けられ、その物理チャネルリソースからの入力信号に対する信号復号処理をそれぞれに行う、複数の信号復号処理リソースを有する信号復号処理部と、を備え、
前記複数の信号復号処理リソース毎に、前記入力信号のビットエラーレートを測定する、
無線基地局装置。（１）
（付記２）
前記信号処理部は、
前記物理チャネルリソースの１つと前記信号復号処理リソースの１つとを対応付けを記録する第１の記録部と、
前記物理チャネルリソース毎に前記ビットエラーレート測定結果を記録する第２の記録部と、
前記第１の記録部を参照し、前記ビットエラー測定結果を前記物理チャネルリソース毎に前記第２の記録部に積算して記録するビットエラー測定機能部と、
を備える、
付記１に記載の無線基地局装置。（２）
（付記３）
前記信号処理部は、
一定時間毎に前記第２の記録部を参照して、前記物理チャネルリソースの異常を判定する判定部、
を備える、
付記２に記載の無線基地局装置。
【００８２】
（付記４）
前記信号処理部の前記判定部は、
異常と判定された物理チャネルリソースが存在する場合、自信号処理部が異常であると判定する、
付記３に記載の無線基地局装置。
【００８３】
（付記５）
装置監視部をさらに備え、
前記装置監視部は、前記信号処理部による異常判定結果を記録する、
付記４に記載の無線基地局装置。
【００８４】
（付記６）
前記装置監視部は、前記信号処理部による前記異常判定結果に基づいて、故障している信号処理部を判定する、
付記５に記載の無線基地局装置。
【００８５】
（付記７）
前記装置監視部は、
前記信号処理部による前記異常判定結果が、正常である信号処理部が２以上、かつ、異常である信号処理部が１である場合、
前記異常である信号処理部が故障していると判断し、
その他の場合は、信号処理部は故障していないと判断する、
付記６に記載の無線基地局装置。
【００８６】
（付記８）
前記装置監視部は、前記故障している信号処理部に対し、アラーム化を指示する、
付記７に記載の無線基地局装置。
【００８７】
（付記９）
呼設定を行い、呼処理割り当て管理テーブルを有する呼処理制御部を備え、
前記装置監視部は、前記故障している信号処理部を、呼処理制御部に通知し、
前記呼処理制御部は、
通知された前記故障している信号処理部を、呼処理割り当て管理テーブルに記録し、
前記故障している信号処理部に対し、呼処理割り当てを行わない、
付記８に記載の無線基地局装置。
【００８８】
（付記１０）
受信ベースバンド信号中の物理チャネル信号に係る処理をそれぞれ行う複数の物理チャネル信号処理部と、各物理チャネル信号処理部との組をなし、対応する物理チャネル信号処理部の処理結果としての信号を格納する複数の格納部と、前記物理チャネル信号処理部及び格納部の組の１つと関連付けられ、関連付けられた格納部に格納された信号に対する復号処理をそれぞれ行う複数の信号復号処理部とを有する複数の信号処理部と、
前記各信号復号処理部で処理される信号のビットエラーレートをそれぞれ測定する測定部と、
前記ビットエラーレートの測定結果に基づいて、各信号復号処理部と関連する格納部及び物理チャネル信号処理部の組が正常か異常かを判定する判定部とを備え、
前記判定部において、異常と判定された組が１以上ある場合に、自装置が異常であると判定する
ベースバンド信号処理装置。（３）
（付記１１）
前記判定部は、前記ビットエラーレートの測定結果として、前記信号復調部での信号受信失敗数が前記格納部での信号受信数以上である場合に、当該格納部に係る組が異常であると判定する
付記１０に記載のベースバンド信号処理装置。
【００８９】
（付記１２）
呼設定要求時に、前記組の１つが呼設定要求に応じた受信回線に割り当てられるとともに、前記信号復号処理部の１つが当該組の１つと関連付けられ、この関連付けられた信号復号処理部に対するビットエラーレートの測定を開始し、その後にリセット要求を受信するまでの間、ビットエラーレートの測定を継続する
付記１０又は１１に記載のベースバンド信号処理装置。（４）
（付記１３）
前記判定部は、周期的に発行される故障判定要求に応じて前記判定処理を行う
付記１０乃至１２のいずれか１つに記載のベースバンド信号処理装置。
【００９０】
（付記１４）
受信ベースバンド信号中の物理チャネル信号に係る処理をそれぞれ行う複数の物理チャネル信号処理部と、各物理チャネル信号処理部と組をなし、対応する物理チャネル信号処理部の処理結果としての信号を格納する複数の格納部と、前記物理チャネル信号処理部及び格納部との１つと関連付けられ、関連付けられた格納部に格納された信号に対する信号処理をそれぞれ行う複数の信号復号処理部とを有する複数の信号処理部と、前記各信号復号処理部で処理される信号のビットエラーレートをそれぞれ測定する測定部と、前記ビットエラーレートの測定結果に基づいて、各信号復号処理部と関連する格納部及び物理チャネル信号処理部の組が正常か異常かを判定する判定部とを備え、前記判定部において異常と判定された組が１以上ある場合に、自装置が異常である旨の故障判定結果を出力する複数のベースバンド信号処理部と、
前記複数のベースバンド信号処理部の１つを用いて、呼設定要求に応じた受信回線を設定する呼処理制御部と、
所定タイミングで前記各ベースバンド信号処理部に対して呼判定結果要求を与え、前記各ベースバンド信号処理部から前記故障判定結果要求に対する前記故障判定結果を受け取り、複数のベースバンド信号処理部の１つのみが異常である旨の故障判定結果を得た場合に、その異常の故障判定結果を出力したベースバンド信号処理部を異常アラーム出力状態に遷移させるとともに、異常アラーム出力状態に遷移させたベースバンド信号処理部の識別情報を前記呼処理制御部に通知する装置監視部とを備え、
前記呼処理制御部は、前記装置監視部から前記通知を受け取った後に、新たな呼設定要求が生じた場合には、通知を受けたベースバンド信号処理部を除く複数のベースバンド信号処理部の１つを用いて受信回線を設定する
基地局装置。（５）
【図面の簡単な説明】
【００９１】
【図１】無線基地局装置の構成例を示す図である。
【図２】無線基地局装置のベースバンド信号処理カードの構成例を示す図である。
【図３】無線基地局装置のベースバンド信号処理カードのハードウェア構成例を示す図である。
【図４】呼処理割り当て管理テーブルの例を示す図である。
【図５】リソース管理テーブルの例を示す図である。
【図６】ＢＥＲ測定結果管理テーブルの例を示す図である。
【図７】ＢＥＲ測定のシーケンスの例を示す図である。
【図８】ベースバンド信号処理カードの故障判定のシーケンスの例を示す図である。
【図９】ベースバンド信号処理カードの故障判定のシーケンスの例を示す図である。
【図１０】ベースバンド信号処理カードの故障判定の動作フロー（装置監視カード側）を示す図である。
【図１１】ベースバンド信号処理カードの故障判定の動作フロー（ベースバンド信号処理カード側）を示す図である。
【図１２】リソース毎の故障判定のテーブルを示す図である。
【図１３】カード故障判定のテーブルを示す図である。
【図１４】故障カードＡＬＭ化判定のテーブルを示す図である。
【図１５】呼処理割り当て回避のシーケンスを示す図である。
【符号の説明】
【００９２】
１００      無線基地局装置
１０１      ベースバンド信号処理カード
１０２      呼処理制御カード
１０３      装置監視カード
１３２      呼処理割り当て管理テーブル
２０２      ＢＥＲ測定機能部
２０４      故障判定機能部
２０６      ハードウェア呼処理制御機能部
２０８      ハードウェアリソース管理機能部
２１０      カード間信号送受信機能部
２２２      物理チャネル信号処理部
２２４      メモリ
２２６      信号復号処理部
２３２      ＢＥＲ測定結果管理テーブル
２３８      リソース管理テーブル
【図１】
2008085568.tif 000003
【図２】
2008085568.tif 000004
【図３】
2008085568.tif 000005
【図４】
2008085568.tif 000006
【図５】
2008085568.tif 000007
【図６】
2008085568.tif 000008
【図７】
2008085568.tif 000009
【図８】
2008085568.tif 000010
【図９】
2008085568.tif 000011
【図１０】
2008085568.tif 000012
【図１１】
2008085568.tif 000013
【図１２】
2008085568.tif 000014
【図１３】
2008085568.tif 000015
【図１４】
2008085568.tif 000016
【図１５】
2008085568.tif 000017